(57)【要約】【課題】分割工具を用いたケーブルの分割作業において、必要な引張力を小さくできる分割工具を提供する。【解決手段】互いに接近および離間可能な第１レバー２０および第２レバー３０を備えた分割工具１０。第１レバー２０は、第１ケーブル保持部２５と、第１切り込み刃２３とを有する。第２レバー３０は、第１ケーブル保持部２５との間にケーブルを挟みこんで保持する第２ケーブル保持部３５と、ケーブルに切り込まれる第２切り込み刃とを有する。第１ケーブル保持部２５と第２ケーブル保持部３５の少なくとも一方には、ケーブルに接してケーブルの長手方向と交差する軸の周りに回転可能な１または複数の回転体２７，３７が設けられている。【選択図】図１
2018151529.tif 000002
【特許請求の範囲】
【請求項１】
互いに接近および離間可能な第１レバーおよび第２レバーを備え、
前記第１レバーは、第１ケーブル保持部と、前記第１ケーブル保持部から突出してケーブルに切り込まれる第１切り込み刃とを有し、
前記第２レバーは、前記第１ケーブル保持部との間に前記ケーブルを挟みこんで保持する第２ケーブル保持部と、前記第２ケーブル保持部から突出して前記ケーブルに切り込まれる第２切り込み刃とを有し、
前記第１ケーブル保持部と前記第２ケーブル保持部の少なくとも一方には、前記ケーブルに接して前記ケーブルの長手方向と交差する軸の周りに回転可能な１または複数の回転体が設けられている、分割工具。
【請求項２】
前記回転体は、前記第１切り込み刃および第２切り込み刃に対して、前記ケーブルの長手方向の一方側および他方側にそれぞれ設けられている、請求項１に記載の分割工具。
【請求項３】
前記回転体は、前記第１ケーブル保持部および前記第２ケーブル保持部にそれぞれ設けられ、
前記第１ケーブル保持部の少なくとも１つの前記回転体と、前記第２ケーブル保持部の少なくとも１つの前記回転体とは、向かい合う位置に配置される、請求項１または２に記載の分割工具。
【請求項４】
前記回転体は、前記軸を中心軸とする円柱状に形成されている、請求項１〜３のうちいずれか１項に記載の分割工具。
【請求項５】
前記回転体の外周面に、前記ケーブルのノッチに入り込むガイド部が突出形成されている、請求項１〜４のうちいずれか１項に記載の分割工具。
【請求項６】
前記第１レバーは、前記第１ケーブル保持部から延出する第１把持部を備え、
前記第２レバーは、前記第２ケーブル保持部から延出する第２把持部を備え、
前記第１把持部と第２把持部とは、延出方向の端部において回動自在に連結されている、請求項１〜３のうちいずれか１項に記載の分割工具。
【発明の詳細な説明】
【技術分野】
【０００１】
本発明は、分割工具に関する。
【背景技術】
【０００２】
従来、光ファイバケーブル（以下、光ケーブルまたは単にケーブルともいう）から光ファイバを取り出すため、ケーブルを分割する分割工具が用いられている（例えば、特許文献１を参照）。
分割工具によってケーブルを挟みこんで保持した状態で、ケーブルに引張力を加えつつ分割工具をケーブル長さ方向に移動させると、分割工具に設けられた切り込み刃がケーブルの外被を分割する。これにより、光ファイバを取り出すことができる。
【先行技術文献】
【特許文献】
【０００３】
【特許文献１】特開２００８−７０６６０号公報
【発明の概要】
【発明が解決しようとする課題】
【０００４】
しかしながら、前記分割工具は、ケーブルの外形寸法によっては、ケーブルの外被に切り込みを入れる際に工具本体がケーブルに接触することがある。そのため、接触抵抗によって大きな引張力が必要となり、作業のしやすさの点で問題が生じたり、場合によっては外被の分割が失敗することがあった。また、大きな引張力が必要な分割工具を使用する場合、引張力と同様の大きな力でケーブルを保持する必要があり、ケーブルの持ち方によってはケーブル内部の光ファイバに影響を与える可能性があった。そのため、ケーブルの外形寸法に合わせて複数の分割工具を用意する必要があった。
【０００５】
本発明の一態様は、上記事情に鑑みてなされたものであり、分割工具を用いたケーブルの分割作業において、必要な引張力を小さくできる分割工具を提供することを課題とする。
【課題を解決するための手段】
【０００６】
本発明の一態様は、互いに接近および離間可能な第１レバーおよび第２レバーを備え、前記第１レバーは、第１ケーブル保持部と、前記第１ケーブル保持部から突出してケーブルに切り込まれる第１切り込み刃とを有し、前記第２レバーは、前記第１ケーブル保持部との間に前記ケーブルを挟みこんで保持する第２ケーブル保持部と、前記第２ケーブル保持部から突出して前記ケーブルに切り込まれる第２切り込み刃とを有し、前記第１ケーブル保持部と前記第２ケーブル保持部の少なくとも一方には、前記ケーブルに接して前記ケーブルの長手方向と交差する軸の周りに回転可能な１または複数の回転体が設けられている、分割工具を提供する。
前記回転体は、前記第１切り込み刃および第２切り込み刃に対して、前記ケーブルの長手方向の一方側および他方側にそれぞれ設けられている構成としてよい。
前記回転体は、前記第１ケーブル保持部および前記第２ケーブル保持部にそれぞれ設けられ、前記第１ケーブル保持部の少なくとも１つの前記回転体と、前記第２ケーブル保持部の少なくとも１つの前記回転体とは、向かい合う位置に配置されることが好ましい。
前記回転体は、前記軸を中心軸とする円柱状に形成されていることが好ましい。
前記回転体の外周面には、前記ケーブルのノッチに入り込むガイド部が突出形成されていることが好ましい。
前記分割工具は、前記第１レバーが、前記第１ケーブル保持部から延出する第１把持部を備え、前記第２レバーが、前記第２ケーブル保持部から延出する第２把持部を備え、前記第１把持部と第２把持部とが、延出方向の端部において回動自在に連結されている構成としてよい。
【発明の効果】
【０００７】
本発明の一態様によれば、分割工具を用いたケーブルの分割作業において、必要な引張力を小さくできる。
【図面の簡単な説明】
【０００８】
【図１】実施形態の分割工具の斜視図である。
【図２】図１の分割工具の分解斜視図である。
【図３】図１の分割工具の第１レバーの平面図である。
【図４】図１の分割工具の第２レバーの斜視図である。
【図５】図１の分割工具の断面図である。
【図６】（Ａ）図１の分割工具の前面図である。（Ｂ）図１の分割工具の拡大前面図である。（Ｃ）図１の分割工具の拡大前面図である。
【図７】図１の分割工具の動作を示す説明図である。
【図８】（Ａ）光ケーブルの断面図である。（Ｂ）光ケーブルから支持線を分離する操作を示す説明図である。
【図９】（Ａ）エレメント部（光ケーブル本体）の断面図である。（Ｂ）エレメント部を分割する操作を示す説明図である。
【発明を実施するための形態】
【０００９】
本発明に係る分割工具の実施形態について、図面に基づいて説明する。
以下の説明においては、ＸＹＺ直交座標系を採用する。分割時の光ケーブルの長手方向を「Ｘ方向」（前後方向）とし、作業者が分割工具を手で持つ状態を想定して、作業者から見て奥側を「前」（＋Ｘ方向）とし、逆側（作業者から見て手前側）を「後」（−Ｘ方向）とする。分割工具が光ケーブルを挟む方向を「Ｚ方向」（上下方向）とし、分割工具を持った作業者から見て上側を「上」（＋Ｚ方向）とし、逆側を「下」（−Ｚ方向）とする。前後方向および上下方向に垂直な方向を「Ｙ方向」（左右方向）とし、分割工具を持った作業者から見て右側を「右」（＋Ｙ方向）とし、逆側を「左」（−Ｙ方向）とする。左右方向のことを「幅方向」と呼ぶことがある。なお、本発明は以下の実施形態に限定されない。
【００１０】
＜光ケーブル＞
まず、図８（Ａ）〜図９（Ｂ）を参照しつつ、光ケーブルの構成について説明する。図８（Ａ）は、光ケーブルの断面図である。図８（Ｂ）は、光ケーブルから支持線を分離する操作を示す説明図である。図９（Ａ）は、エレメント部（光ケーブル本体）の断面図である。図９（Ｂ）は、エレメント部を分割する操作を示す説明図である。
【００１１】
図８（Ａ）および図８（Ｂ）に示すように、光ケーブル１は、支持線２と、エレメント部４とを備えている。
支持線２は、例えば、支持線本体と、前記支持線本体を被覆する外被とを備えている。前記支持線本体は、銅線などの金属線、繊維強化プラスチック線等である。
エレメント部４（光ケーブル本体）は、一対のテンションメンバ５と、複数の光ファイバ６と、保護部材７と、これらを被覆する外被８とを備えている。エレメント部４を光ケーブルと呼ぶこともある。
支持線２とエレメン卜部４とは首部２Ａで連結されている。光ケーブル１は、首部２Ａにおいて支持線２とエレメン卜部４とを分割することができる。
【００１２】
テンションメンバ５は、光ファイバ６の歪みや曲げを抑制するための抗張力体である。エレメント部４には、光ファイバ６を挟むように一対のテンションメンバ５が配置されている。なお、テンションメンバ５の数は２つに限られない。
【００１３】
光ファイバ６は、エレメント部４に複数本配置されている。ここでは、２４本の光ファイバ６が配置されているが、光ファイバ６の数は２４本より少なくてもよいし（例えば１２本）、２４本より多くてもよい（例えば４８本）。複数本の光ファイバ６は、複数のテープ心線によって構成されていてもよいし、単心線で構成されていてもよい。
エレメント部は、光ファイバの数によって、外形寸法（例えば図８（Ａ）における上下方向の寸法、すなわち厚さ）が変化する。例えば、光ファイバの数が多いほどエレメント部の厚さは増す。
【００１４】
保護部材７は、複数の光ファイバ６を保護するテープ状の部材である。保護部材７は、２４本の光ファイバ６の配列面に接するように配置されている。
図９（Ａ）において、保護部材７の幅Ｗ３は、光ファイバ６の配列幅Ｗｆより大きいことが望ましい。保護部材７は、例えば、厚さが０．２ｍｍ程度であり、外被８から容易に剥離可能な材料で形成された合成樹脂製のテープが用いられる。
【００１５】
外被８は、テンションメンバ５と光ファイバ６とを一体化するとともに、光ファイバ６を外部から保護する。外被８の断面、すなわちエレメント部４の長さ方向に直交する断面は扁平な形状である。外被８の両面には、一対のノッチ８Ａが形成されている。一対のノッチ８Ａの最深部の間隔Ｗ０は、保護部材７の幅Ｗ３よりも狭く、光ファイバ６の配列幅Ｗｆよりも広い。
【００１６】
図９（Ａ）および図９（Ｂ）に示すように、分割工具１０の切り込み刃（後述する第１切り込み刃２３および第２切り込み刃３３）が外被８に切り込みを入れると、エレメント部４は分割される。エレメント部４が分割されることによって、エレメント部４から光ファイバ６を取り出すことができる。
【００１７】
一対のノッチ８Ａの間隔Ｗ０が、光ファイバ６の配列幅Ｗｆよりも広いことにより、ノッチ８Ａの最深部の位置で分割すると、光ファイバ６に損傷を与えずに済む。また、一対のノッチ８Ａの間隔Ｗ０が、保護部材７の幅Ｗ３よりも狭いことにより、切り込み刃を保護部材７に確実に到達させて外被８を分割することができる。
【００１８】
＜分割工具＞
次に、図面を参照しつつ、本実施形態の分割工具１０の構成について説明する。
図１は、分割工具１０の斜視図である。図２は、分割工具１０の分解斜視図である。図３は、分割工具１０の第１レバー２０の平面図である。図４は、分割工具１０の第２レバー３０の斜視図である。図５は、分割工具１０の断面図である。図６（Ａ）は、分割工具１０の前面図である。図６（Ｂ）は、分割工具１０の拡大前面図である。図６（Ｃ）は、分割工具１０の拡大前面図である。
【００１９】
図２に示すように、分割工具１０は、第１レバー２０、第２レバー３０、およびロック部材４０を有する。
第１レバー２０は、分割工具１０の下側のレバー（下レバー）であり、第１ケーブル保持部２５と、第１把持部２６と、一対の第１切り込み刃２３と、支持線用切り込み刃２４と、一対の第１回転体２７とを備えている。
第１ケーブル保持部２５は、第１ベース部２１、および第１カバー部２２を有している。
第１ベース部２１の第１対向面２１ａ（上面）には、第１凹部２１２、第１位置合わせ部２１６、および支持線用凹部２１８が形成されている。
【００２０】
第１凹部２１２は、エレメント部４を分割するための部位であり、第１対向面２１ａに前後方向に沿って凹溝状に形成されている。第１凹部２１２の左右方向の側面は、エレメント部４を前後方向に案内する機能も有する。
第１凹部２１２の左右両側面にはそれぞれ上下方向に沿う溝状の保持凹部２１２ｂが形成されている。保持凹部２１２ｂの最下部である段部２１２ｃには、第１回転体２７の軸部２７２が係止可能である。
図３に示すように、第１凹部２１２の左右両側面には、それぞれ互いに近づく方向に膨出する膨出凸部２１２ｄが形成されている。膨出凸部２１２ｄ間の距離をエレメント部４の幅に応じて設定することによって、エレメント部４の幅方向の位置ずれを規制することができる。
【００２１】
図１に示すように、第１位置合わせ部２１６は、第１レバー２０と第２レバー３０との位置合わせをするための部位である。第１ベース部２１には、第１凹部２１２を挟むように左右方向（幅方向）に間隔をあけて、一対の第１位置合わせ部２１６（ピン２１６ａ，２１６ａ）が配置されている。また、前後方向（幅方向と直交する方向）に間隔をあけて、一対の第１位置合わせ部２１６（穴２１６ｂ，２１６ｂ）が配置されている。
【００２２】
第１レバー２０と第２レバー３０を閉じたとき、第１位置合わせ部２１６のピン２１６ａおよび穴２１６ｂは、それぞれ、第２レバー３０の第２位置合わせ部３１６の穴３１６ｂおよびピン３１６ａ（図４参照）と嵌合する。これにより、第１レバー２０と第２レバー３０が前後方向および左右方向に位置合わせされるため、第１レバー２０と第２レバー３０との位置ずれを抑制することができる。
なお、第１位置合わせ部２１６の構成は図１に示す例には限られない。例えば、ピン２１６ａに代えて穴２１６ｂを採用してもよいし、その逆も可能である。
【００２３】
支持線用凹部２１８は、支持線２を分離するための部位であり、前後方向に沿って設けられている。支持線用凹部２１８は、支持線側凹部２１８Ａ、エレメント側凹部２１８Ｂ、および首部用突出部２１８Ｃを有している。
支持線側凹部２１８Ａは、第２レバー３０の支持線側凹部３１８Ａとともに、支持線２を挟むための隙間（空間）を形成する。
エレメント側凹部２１８Ｂは、第２レバー３０のエレメント側凹部３１８Ｂとともに、エレメント部４を挟むための隙間（空間）を形成する。エレメント側凹部２１８Ｂの底面には、凹凸２１８Ｂａ（図６（Ａ）参照）が形成されている。凹凸２１８Ｂａにより、エレメント部４に対する摩擦を低減できる。
首部用突出部２１８Ｃは、第２レバー３０の首部用突出部３１８Ｃとの間で首部２Ａを挟む部位であり、支持線側凹部２１８Ａとエレメント側凹部２１８Ｂとの間において上側に突出するように設けられている。
【００２４】
第１カバー部２２は、第１ベース部２１の外側（下側）のカバーである。
【００２５】
第１切り込み刃２３は、エレメント部４の外被８を分割するための刃である。一対の第１切り込み刃２３は、第１対向面２１ａから上方に突出しており、幅方向に並んで配置されている。
一対の第１切り込み刃２３の幅方向の間隔は、一対の第１ガイド部２７３（後述）の幅方向の間隔と同じ、またはそれよりも広いことが好ましい。
【００２６】
支持線用切り込み刃２４は、支持線２の分離用（図８（Ａ）参照）の刃である。支持線用切り込み刃２４は、首部用突出部２１８Ｃから上側に突出して設けられている。
【００２７】
図２および図３に示すように、第１回転体２７は、回転体本体２７１と、一対の軸部２７２と、第１ガイド部２７３とを備えており、概略、円柱状に形成されている。
回転体本体２７１は、幅方向に沿う中心軸Ｏ１を有する円柱体である。
軸部２７２は、回転体本体２７１の中心軸Ｏ１の両端からそれぞれ中心軸Ｏ１に沿う方向に突出して形成されている。軸部２７２は、第１凹部２１２の左右両側面に形成された保持凹部２１２ｂの最下部である段部２１２ｃ（図２参照）に係止可能である。第１回転体２７は、軸部２７２が段部２１２ｃに係止することにより、中心軸Ｏ１周りに回転可能な状態で保持される。
【００２８】
第１ガイド部２７３は、回転体本体２７１の外周面に、中心軸Ｏ１周りに形成された環状の突起である。第１ガイド部２７３は、回転体本体２７１の外周面から回転体本体２７１の径方向に突出して形成されている。第１ガイド部２７３の、延在方向に直交する断面は、例えば突出方向に徐々に幅が狭くなる形状である。一対の第１ガイド部２７３は、エレメント部４の下側の一対のノッチ８Ａに対応するように幅方向に並んで配置されている。第１ガイド部２７３は、分割工具１０に対してエレメント部４（光ファイバ本体）を位置決めする機能を有する。
【００２９】
一対の第１回転体２７は、第１切り込み刃２３に対して、それぞれ前方および後方（すなわち光ケーブル１の長手方向の一方側および他方側）にそれぞれ設けられている。
【００３０】
図１および図２に示すように、第１把持部２６は、第１ケーブル保持部２５から後方に延出して形成されている。第１把持部２６の延出方向の端部２６ａには、第１ヒンジ部２６１が形成されている。
【００３１】
図４に示すように、第２レバー３０は、分割工具１０の上側のレバー（上レバー）であり、第２ケーブル保持部３５と、第２把持部３６と、一対の第２切り込み刃３３と、支持線用切り込み刃３４と、一対の第２回転体３７とを備えている。なお、第２レバー３０の構成は、第１レバー２０の構成とほぼ同様であるので、詳しい説明を省略する場合がある。以下、第２レバー３０の各部の構成を、第１レバー２０に対して閉じた状態（図７（Ｂ）参照）の方向に応じて説明する。
【００３２】
第２ケーブル保持部３５は、第２ベース部３１、および第２カバー部３２、を有している。
第２ベース部３１の第２対向面３１ａには、第２凹部３１２、第２位置合わせ部３１６、および支持線用凹部３１８が形成されている。第２対向面３１ａは、第２レバー３０を第１レバー２０に対して閉じた状態（図７（Ｂ）参照）において下面である。
【００３３】
第２凹部３１２は、エレメント部４を分割するための部位であり、第２対向面３１ａに前後方向に沿って凹溝状に形成されている。第２凹部３１２は、第１レバー２０と第２レバー３０を閉じたときに、第１凹部２１２と対向する。第２凹部３１２の左右方向の側面は、エレメント部４を前後方向に案内する機能も有する。
第２凹部３１２の左右両側面にはそれぞれ上下方向に沿う溝状の保持凹部３１２ｂが形成されている。保持凹部３１２ｂの最上部である段部３１２ｃには、第２回転体３７の軸部３７２が係止可能である。
【００３４】
第２位置合わせ部３１６は、第１レバー２０と第２レバー３０との位置合わせをするための部位であり、ピン３１６ａおよび穴３１６ｂを有する。ピン３１６ａおよび穴３１６ｂは、第１レバー２０の第１位置合わせ部２１６のピン２１６ａと穴２１６ｂにそれぞれ対応するように形成されている。
【００３５】
支持線用凹部３１８は、支持線２を分離するための部位であり、前後方向に沿って設けられている。支持線用凹部３１８は、支持線側凹部３１８Ａ、エレメント側凹部３１８Ｂ、および首部用突出部３１８Ｃを有している。
支持線側凹部３１８Ａは、第１レバー２０の支持線側凹部２１８Ａとともに、支持線２を挟むための隙間（空間）を形成する。
エレメント側凹部３１８Ｂは、第１レバー２０のエレメント側凹部２１８Ｂとともに、エレメント部４を挟むための隙間〔空間〕を形成する。エレメント側凹部３１８Ｂの天面には、凹凸３１８Ｂａ（図６（Ａ）参照）が形成されている。凹凸３１８Ｂａにより、エレメント部４に対する摩擦を低減できる。
首部用突出部３１８Ｃは、第１レバー２０の首部用突出部２１８Ｃとの間で首部２Ａを挟む部位であり、支持線側凹部３１８Ａとエレメント側凹部３１８Ｃとの間において下側に突出するように設けられている。
【００３６】
第２カバー部３２は、第２ベース部３１の外側（上側）のカバーである。
【００３７】
第２切り込み刃３３は、エレメント部４の外被８を分割するための刃である。一対の第２切り込み刃３３は、第２対向面３１ａからそれぞれ下側に突出しており、幅方向に並んで配置されている。
一対の第２切り込み刃３３の幅方向の間隔は、一対の第１切り込み刃２３の間隔と同じである。
【００３８】
支持線用切り込み刃３４は、支持線２の分離用の刃である。支持線用切り込み刃３４は、首部用突出部３１８Ｃから下側に突出して設けられている。
【００３９】
図２に示すように、第２回転体３７は、回転体本体３７１と、一対の軸部３７２と、第２ガイド部３７３とを備えており、概略、円柱状に形成されている。
回転体本体３７１は、幅方向に沿う中心軸Ｏ２を有する円柱体である。
軸部３７２は、回転体本体３７１の中心軸Ｏ２の両端からそれぞれ中心軸Ｏ２に沿う方向に突出して形成されている。軸部３７２は、第２凹部３１２の左右両側面に形成された保持凹部３１２ｂの最上部である段部３１２ｃに係止可能である。第２回転体３７は、中心軸Ｏ２周りに回転可能な状態で保持される。
【００４０】
第２ガイド部２７３は、回転体本体３７１の外周面に、中心軸Ｏ２周りに形成された環状の突起である。第２ガイド部３７３は、回転体本体３７１の外周面から回転体本体３７１の径方向に突出して形成されている。第２ガイド部３７３の、延在方向に直交する断面は、例えば突出方向に徐々に幅が狭くなる形状である。一対の第２ガイド部３７３は、エレメント部４の下側の一対のノッチ８Ａに対応するように幅方向に並んで配置されている。第２ガイド部３７３は、分割工具１０に対してエレメント部４（光ファイバ本体）を位置決めする機能を有する。
【００４１】
一対の第２回転体３７は、第２切り込み刃３３に対して、それぞれ前方および後方（すなわち光ケーブル１の長手方向の一方側および他方側）にそれぞれ設けられている。
第２回転体３７は、第１レバー２０と第２レバー３０とを閉じた状態（図７（Ｂ）参照）において、第１回転体２７と向かい合う位置に配置されることが好ましい。これによって、エレメント部４（ケーブル本体）の上下にそれぞれ回転体２７，３７が配置されるため、回転体２７，３７によってエレメント部４を安定的に保持できる。
【００４２】
図１および図２に示すように、第２把持部３６は、第２ケーブル保持部３５から後方に延出して形成されている。第２把持部３６の延出方向の端部３６ａには、第２ヒンジ部３６１が形成されている。第２ヒンジ部３６１は、第１レバー２０の第１ヒンジ部２６１と回動可能に係合している（図１参照）。これによって、第１把持部２６と第２把持部３６とは、端部２６ａ，３６ａにおいて、幅方向に沿う回動軸Ｏ３周りに回動自在に連結される。
第１レバー２０と第２レバー３０とは、回動軸Ｏ３周りの回動によって、互いに接近および離間する方向に移動可能である。
【００４３】
図２および図４に示すように、ロック部材４０は、第１レバー２０と第２レバー３０が閉じた状態（第１ケーブル保持部２５と第２ケーブル保持部３５とが重なった状態）（図７（Ｂ）参照）を維持するようにロックする部材である。
ロック部材４０は、本体部４１と、本体部４１の下部に設けられたフック４２とを有する。フック４２は、前方に突出して形成されている。
ロック部材４０の下部は、第１ケーブル保持部２５に形成された挿入穴４３（図１参照）に挿入される。ロック部材４０の下部が挿入穴４３に挿入された状態でロック部材４０を前方移動させることによって、フック４２は、第１ケーブル保持部２５内に設けられた係止部（図示略）に係止する。これによって、第１レバー２０と第２レバー３０が閉じた状態を維持することができる。
ロック部材４０は、第２レバー３０（詳しくは第２ケーブル保持部３５および第２把持部３６）の側面に設けられた操作部４４（図４参照）によって前後移動させることができる。
分割工具１０は、分割作業以外の際に、ロック部材４０で第１レバー２０と第２レバー３０を閉じた状態でロックしておくことにより、切り込み刃の露出を防ぐことができるため、安全性を高めることができる。
【００４４】
分割工具１０は、切り込み刃（切り込み刃２３，３３、支持線用切り込み刃２４，３４）およびロック部材４０を除き、樹脂製としてよい。これによって、金属製の分割工具に比べてコスト低減が可能である。また、分割工具１０の軽量化の点でも有利となる。
【００４５】
＜分割時の手順について＞
［支持線の分離］
図３に示すように、作業者は、開いた状態の分割工具１０の第１レバー２０の支持線側凹部２１８Ａに光ケーブル１の支持線２を置き、エレメント側凹部２１８Ｂに光ケーブル１のエレメント部４（ケーブル本体）を置く。
図６（Ａ）に示すように、第１レバー２０及び第２レバー３０を閉じ（すなわち分割工具１０を閉じ）、支持線用凹部２１８と支持線用凹部３１８との間の隙間に光ケーブル１を挟む。具体的には、支持線側凹部２１８Ａと支持線側凹部３１８Ａの間に支持線２を挟み、エレメント側凹部２１８Ｂとエレメント側凹部３１８Ｂとの間にエレメント部４を挟む。
これにより、図８（Ａ）に示すように、支持線用切り込み刃３４によって首部２Ａに切り込みが入れられる。作業者は、その状態で、分割工具１０を手前側（後側）に移動させる。これにより、図８（Ｂ）に示すように、首部２Ａが切断され、支持線２とエレメント部４（ケーブル本体）とが分離される。
【００４６】
［エレメント部の外被分割］
図３に示すように、作業者は、開いた状態の分割工具１０の第１レバー２０の第１凹部２１２にエレメント部４（ケーブル本体）を置き、第１レバー２０及び第２レバー３０を互いに近づく方向に回動させ、第１レバー２０及び第２レバー３０を閉じる（すなわち分割工具１０を閉じる）。
図６（Ａ）および図６（Ｂ）に示すように、第１レバー２０及び第２レバー３０を閉じると、エレメント部４が第１凹部２１２と第２凹部３１２の間に挟まれる。
この際、第１位置合わせ部２１６と第２位置合わせ部３１６が嵌合し、第１レバー２０と第２レバー３０とが自動的に位置合わせされる。また、図６（Ｂ）に示すように、第１レバー２０及び第２レバー３０を閉じることにより、エレメント部４の下側の一対のノッチ８Ａに第１ガイド部２７３が合わせられ、かつ上側の一対のノッチ８Ａに第２ガイド部３７３が合わせられる。
【００４７】
図５、図９（Ａ）および図９（Ｂ）に示すように、作業者は、第１凹部２１２と第２凹部３１２との間にエレメント部４を挟んだ状態で、分割工具１０を手前側（後側）に移動させ、第１切り込み刃２３及び第２切り込み刃３３でエレメント部４の外被８を分割する。
この際、図７（Ａ）および図７（Ｂ）に示すように、作業者は、第１把持部２６および第２把持部３６を手５０で把持することによって分割工具１０を保持して、外被８を分割する作業を行うことができる。
【００４８】
分割工具１０では、第１ケーブル保持部２５および第２ケーブル保持部３５に、それぞれ第１回転体２７および第２回転体３７が設けられている。
図５に示すように、外被８を分割する過程で、分割工具１０は、第１回転体２７および第２回転体３７がエレメント部４に接触しつつ長手方向に移動する。第１回転体２７および第２回転体３７は中心軸Ｏ１，Ｏ２の周りに回転可能であり、しかもエレメント部４に対する接触面積が小さいため、エレメント部４と分割工具１０との間の摩擦力は小さくなる。そのため、エレメント部４の分割作業に必要な力を小さくできる。
よって、図６（Ｃ）に示すエレメント部４Ｂのように、エレメント部４Ａ（図６（Ｂ）参照）に比べて外形寸法（厚さ）が大きいエレメント部４を対象とする場合でも、分割作業を容易にすることができる。
【００４９】
分割工具１０では、第１切り込み刃２３の前方および後方にそれぞれ第１回転体２７が設けられ、第２切り込み刃３３の前方および後方にそれぞれ第２回転体３７が設けられている。エレメント部４との接触抵抗が大きくなりやすい部位である切り込み刃２３，３３の前方および後方に回転体２７，３７が設けられているため、エレメント部４と分割工具１０との間の摩擦を小さくする効果を高めることができる。
【００５０】
第１回転体２７および第２回転体３７は、概略、円柱状に形成されているため、確実にエレメント部４に接触して、エレメント部４と分割工具１０との間の摩擦を小さくできる。
【００５１】
第１回転体２７および第２回転体３７は、第１ガイド部２７３および第２ガイド部３７３がノッチ８Ａに入り込んでエレメント部４を幅方向の移動を規制するため（図６（Ｂ）参照）、エレメント部４を精度よく位置決めできる。
【００５２】
分割工具１０は、ケーブル保持部２５，２６から延出する把持部２６，３６の端部２６ａ，３６ａにヒンジ部２６１，３６１（図１および図２参照）が設けられている。ケーブル保持部２５，２６から後方に離れた位置にヒンジ部２６１，３６１があるため、エレメント部４の外形寸法（厚さ）の差異による切り込み刃２３，３３の姿勢の変化が小さい。よって、外形寸法（厚さ）が異なる複数のエレメント部４を対象とする場合において、確実な外被８の分割が可能である。
また、分割工具１０は、第１把持部２６および第２把持部３６を有するため、第１把持部２６および第２把持部３６を手５０（図７（Ａ）および図７（Ｂ）参照）で把持することにより、分割工具１０を安定的に保持しつつ外被８を分割する作業を行うことができる。
【００５３】
図５に示すように、分割工具１０は、第１ケーブル保持部２５および第２ケーブル保持部３５にそれぞれ第１切り込み刃２３および第２切り込み刃３３が設けられている。そのため、エレメント部４（ケーブル本体）の上下両面に配置された切り込み刃によって、外被８を確実に分割することができる。
【００５４】
上述の実施形態は、この発明の技術的思想を具体化するための装置や方法を例示するものであって、この発明の技術的思想は、構成部品の材質、形状、構造、配置等を特定するものでない。
【００５５】
＜光ケーブル＞
図８（Ａ）等に示す光ケーブル１のエレメント部４の両面にはそれぞれ一対のノッチ８Ａが形成されているが、光ケーブルは、一方の面に一対のノッチが形成されていなくてもよい。このような光ケーブルに対しても、実施形態の分割工具１０を用いて分割作業を行うことは可能である。光ケーブル１（エレメント部４）は保護部材７を有しているが、保護部材７のない光ケーブルに対しても、実施形態の分割工具を用いて分割作業を行うことは可能である。光ケーブル１には支持線２が設けられているが、支持線２がない（すなわちエレメン卜部４のみからなる）光ケーブルを対象としてもよい。その場合、分割工具１０には、支持線用凹部２１８、支持線用凹部３１８、支持線用切り込み刃３４などが無くてもよい。
【００５６】
＜分割工具＞
第１回転体２７および第２回転体３７は、それぞれ幅方向に沿う中心軸Ｏ１，Ｏ２の軸回りに回転するが、第１回転体および第２回転体の中心軸方向は、幅方向に限らず、前後方向（Ｘ方向）に対して交差する方向であればよい。
分割工具１０では、第１ケーブル保持部２５および第２ケーブル保持部３５にそれぞれ回転体が設けられているが、回転体は、第１ケーブル保持部および第２ケーブル保持部のいずれか一方のみに設けられていてもよい。
分割工具１０では、２つの第１回転体２７はそれぞれ第２回転体３７と向かい合う位置にあるが、実施形態の分割工具は、複数の第１回転体のうち少なくとも１つが、複数の第２回転体のうち少なくとも１つと向かい合う構成を採用してもよい。
分割工具１０では、第１ケーブル保持部２５に前後方向に離間して２つの第１回転体２７が設けられ、第２ケーブル保持部３５に前後方向に離間して２つの第２回転体３７が設けられているが、１つの第１回転体２７（例えば前側の第１回転体２７）および１つの第２回転体３７（例えば前側の第２回転体３７）を省いた構成も可能である。
【符号の説明】
【００５７】
１…光ケーブル、４…エレメント部（ケーブル本体、光ケーブル）、８…外被、８Ａ…ノッチ、１０…分割工具、２０…第１レバー、２３…第１切り込み刃、２５…第１ケーブル保持部、２６…第１把持部、２６ａ…第１把持部の端部、２７…第１回転体、３０…第２レバー、３３…第２切り込み刃、３６…第２把持部、３６ａ…第２把持部の端部、２７３…第１ガイド部、３７３…第２ガイド部。
【図１】
2018151529.tif 000003
【図２】
2018151529.tif 000004
【図３】
2018151529.tif 000005
【図４】
2018151529.tif 000006
【図５】
2018151529.tif 000007
【図６】
2018151529.tif 000008
【図７】
2018151529.tif 000009
【図８】
2018151529.tif 000010
【図９】
2018151529.tif 000011
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
互いに接近および離間可能な第１レバーおよび第２レバーを備え、
前記第１レバーは、第１ケーブル保持部と、前記第１ケーブル保持部から突出してケーブルに切り込まれる第１切り込み刃とを有し、
前記第２レバーは、前記第１ケーブル保持部との間に前記ケーブルを挟みこんで保持する第２ケーブル保持部と、前記第２ケーブル保持部から突出して前記ケーブルに切り込まれる第２切り込み刃とを有し、
前記第１ケーブル保持部と前記第２ケーブル保持部の少なくとも一方には、前記ケーブルに接して前記ケーブルの長手方向と交差する軸の周りに回転可能な１または複数の回転体が設けられ、
前記回転体の外周面に、前記ケーブルのノッチに入り込むガイド部が突出形成されている、分割工具。
【請求項２】
前記回転体は、前記第１切り込み刃および第２切り込み刃に対して、前記ケーブルの長手方向の一方側および他方側にそれぞれ設けられている、請求項１に記載の分割工具。
【請求項３】
前記回転体は、前記第１ケーブル保持部および前記第２ケーブル保持部にそれぞれ設けられ、
前記第１ケーブル保持部の少なくとも１つの前記回転体と、前記第２ケーブル保持部の少なくとも１つの前記回転体とは、向かい合う位置に配置される、請求項１または２に記載の分割工具。
【請求項４】
前記回転体は、前記軸を中心軸とする円柱状に形成されている、請求項１〜３のうちいずれか１項に記載の分割工具。
【請求項５】
前記第１レバーは、前記第１ケーブル保持部から延出する第１把持部を備え、
前記第２レバーは、前記第２ケーブル保持部から延出する第２把持部を備え、
前記第１把持部と第２把持部とは、延出方向の端部において回動自在に連結されている、請求項１〜３のうちいずれか１項に記載の分割工具。